(57)【要約】【課題】  容易に引掛けることができ、引掛けた際に安定性が良い携帯用帯鋸機を提供する。【解決手段】モータと、ハウジングと、前記ハウジングの一端部に設けられ前記モータの回転力によって駆動される駆動鋸車と、前記ハウジングの他端部に設けられる従動鋸車と、駆動鋸車及び従動鋸車に張架され駆動鋸車により循環駆動される帯鋸刃とを有する携帯用帯鋸機であって、前記ハウジングの一端部には、変形可能な線材が設けられることを特徴とする携帯用帯鋸機によって、解決することができる。【選択図】  図１
2009166212.tif 000002
【特許請求の範囲】
【請求項１】
モータと、
ハウジングと、
前記ハウジングの一端部に設けられ前記モータの回転力によって駆動される駆動鋸車と、
前記ハウジングの他端部に設けられる従動鋸車と、
駆動鋸車及び従動鋸車に張架され駆動鋸車により循環駆動される帯鋸刃とを有する携帯用帯鋸機であって、
前記ハウジングの一端部には、変形可能な引掛け部が設けられることを特徴とする携帯用帯鋸機。
【請求項２】
前記引掛け部は、変形可能な線材及び引掛け部材を有することを特徴とする請求項１記載の携帯用帯鋸機。
【請求項３】
前記線材は前記ハウジングに少なくとも一部を収納可能であり、前記線材の前記ハウジング内に収納される長さは調整可能であることを特徴とする請求項１又は請求項２に記載の携帯用帯鋸機。
【請求項４】
前記線材は前記ハウジングの前記他端部と接続可能であることを特徴とする請求項１から請求項３のいずれか１項記載の携帯用帯鋸機。
【請求項５】
前記一端部側に前記モータが設けられることを特徴とする請求項１から請求項４のいずれか１項記載の携帯用帯鋸機。
【発明の詳細な説明】
【技術分野】
【０００１】
本発明は携帯式帯鋸機に関するものである。
【背景技術】
【０００２】
従来の携帯式帯鋸機を、図４を用いて簡単に説明する。携帯用帯鋸機は、図示しない給電用の電源コードにより給電される。給電がなされた状態で、スイッチ１１を作業者が操作すると、ハウジング２内に配置された図示しないモータが回転する。ハウジング２の一端部には駆動鋸車３が設けられ、ハウジング２の他端部には従動鋸車４が設けられる。駆動鋸車３及び従動鋸車４は、略円形をしており、それらの間に張架される帯鋸刃５を有する。
【０００３】
モータは、駆動鋸車３を図示しない回転伝達機構によって回転駆動する。回転駆動される駆動鋸車３は、その回転駆動を帯鋸刃５に伝達し、帯鋸刃５を循環駆動する。従動鋸車４は、循環駆動される帯鋸刃５によって、従動される。
【０００４】
ハウジング２の前記した一端部には、ハンドル１０を有する。また、ハウジング２の前記した他端部には、帯鋸刃５の切断方向と略垂直方向に延びる補助ハンドル１２が設けられている。
【０００５】
また、前記した他端部には、金属製の引掛け用フック１００が設けられており、このフック１００により、携帯用帯鋸機を引掛けることができるような構成となっている。
【０００６】
携帯用帯鋸機を使用する際には、携帯式帯鋸機は鋸刃５で切断をするであるため、被切断材の切断面が粗くなることも多く切断の際にはバリが生じやすいものである。そのため、被切断材を切断した後にディスクグラインダ等でのバリ取り作業など次工程を要することもある。そのため、携帯用帯鋸機を作業者の手より離すことが必要である。その場合には地面などに置くことも考えられるが、携帯用帯鋸機を直接置くと場所をとることになり、また置いた携帯用帯鋸機の面が傷つくことがあった。
【０００７】
なお、引掛け用フック１００によって、携帯用帯鋸機を引掛る場合には、金属製の引掛けフックを引掛けることができる場所を探す必要があり面倒であるという問題点があった。また、引掛かった際にも引掛けフックが金属製であるために、安定性が悪いという問題点があった。
【発明の開示】
【発明が解決しようとする課題】
【０００８】
従来の金属製の引掛け用フックでは吊るし位置、方向が制限されるため、く安定性が悪いものであった。
【０００９】
本発明の目的は、引掛け用の線材によって、容易に携帯用帯鋸機を引掛けることができるようにすることにある。また、携帯用帯鋸機を安定性良く置くことができる携帯用帯鋸機を提供することである。
【課題を解決するための手段】
【００１０】
上記目的は、モータと、ハウジングと、前記ハウジングの一端部に設けられ前記モータの回転力によって駆動される駆動鋸車と、前記ハウジングの他端部に設けられる従動鋸車と、駆動鋸車及び従動鋸車に張架され駆動鋸車により循環駆動される帯鋸刃とを有する携帯用帯鋸機であって、前記ハウジングの一端部には、変形可能な線材が設けられることを特徴とする携帯用帯鋸機により達成される。
【発明の効果】
【００１１】
請求項１に記載した構成を持つ携帯用帯鋸機とすることによって、線材によって容易に引掛けることができる。また、引掛けた際には、引掛け部が変形可能であるために、携帯用帯鋸機を重量バランスが良い状態で保つことができる。
【００１２】
請求項２に記載した構成を持つ携帯用帯鋸機とすることによって、更に変形可能な線材及び引掛け部材によって、より容易に引掛けることができる。
【００１３】
請求項３に記載した構成を持つ携帯用帯鋸機とすることによって、更に線材の収納される量が調節可能であるために、作業者の好みの長さに線材を調整することができ、作業性が高い携帯用帯鋸機とすることができる。
【００１４】
請求項４に記載した構成を持つ携帯用帯鋸機とすることによって、更に線材がハウジングの一端部と他端部とに接続可能となるために、作業者が線材とハウジングの間に体の一部を入れることによって、容易に携帯用帯鋸機を保持することができる。
【００１５】
請求項５に記載した構成持つ携帯用帯鋸機とすることによって、更に線材を引掛ける際に、線材が設けられる他端部とは異なる一端部に重量の大きいモータが設けられるために、引掛ける部分から遠い距離に重量の大きいモータが位置し重量バランスを安定させることができる。
【発明を実施するための最良の形態】
【００１６】
本発明の一実施形態を図１から図３及び図５から図８を参照して説明する。
【００１７】
図１は、本発明の一実施形態を示す携帯式帯鋸機１である。携帯用帯鋸機１は、ハウジング２と、ハウジング２収納される図示されないモータを有する。なおモータは、後述するハウジング２の一端部２Ａ付近に設けられる。駆動鋸車３は、モータの回転を図示しない回転伝達機構を介して回転駆動される。また、ハウジング２の他端部２Ｂには、従動鋸車４が設けられており、帯鋸刃５は、駆動鋸車３及び従動鋸車４に張架される。帯鋸刃５は、切断する材料を切断可能な切断刃５Ａを帯鋸刃の外側の一部に有する。駆動鋸車３は、その回転を帯鋸刃５に伝達する。その回転によって、帯鋸刃５は、循環駆動される。循環駆動の際に、帯鋸刃５の回転により従動鋸車４は回転する。
【００１８】
ハウジング２には、第１の側面２Ｄと携帯用帯鋸機１のハウジング２の反対側の面である第２の側面２Ｃを有している。第１の側面２Ｄは、ハウジング２のうち、図１の下方に示される部分である。また、第２の側面２Ｃは、ハウジング２のうち、図１の上方に示される部分である。
【００１９】
ハウジング２の一端部２Ａには、ハンドル１０が設けられている。ハンドル１０には、スイッチ１１が設けられている。また、ハウジング２の他端部２Ｂには、ほぼ帯鋸刃５と垂直な方向に延びるように補助ハンドル１２が設けられている。
【００２０】
なお、ハンドル１０は、その一端を第２の側面２Ｃと、他端をハウジングの一端部２Ａと接続されている。また、補助ハンドル１２は、その両端がほぼ第２の側面２Ｃ付近に接続されている。
【００２１】
ハウジング２の一端部２Ａ付近には、ベース１３が設けられ、図１のように上方から下方へと伸びるような構成となっており、作業者が切断を行う際に、切断する材料をガイドする役割がある。また、ベース１３は、ハウジング２の第１の側面２Ｄ付近より突出している構成となっている。
【００２２】
本願発明の携帯用帯鋸機１の動作を説明する。
【００２３】
図１には図示されない給電用の電源コードから、携帯用帯鋸機１に電気を給電する。作業者が、スイッチ１１を操作すると、携帯用帯鋸機１内部の回路に電流が流れ、モータを回転させる。モータには、その回転を伝達する図示しない回転伝達機構が接続されている。回転伝達機構は、その回転を駆動鋸車３に伝達する。この回転により駆動鋸車３は回転する。駆動鋸車３の回転によりその回転を伝達するように係合する帯鋸刃５は、循環駆動される。循環駆動される帯鋸刃５により、従動鋸車４は回転駆動される。
【００２４】
切断の際には、作業者が携帯用帯鋸機１をハンドル１０及び補助ハンドル１２を把持し、スイッチ１１を操作したままで、円管や鉄筋等の被切断材をベース１３に当接させ、図示しない被切断材に帯鋸刃５を押し付けることによって、切断する材料を切断する。
【００２５】
図１を用いて本発明の携帯用帯鋸機１の引掛け部の使用例を説明する。
【００２６】
図１に示すように、ハウジング２の他端部２Ｂには、引掛け部が設けられている。引掛け部は、後述する引掛け部材８Ａ及び線材８によって構成される。線材８は、ビニール製であるが、皮製、金属製、合成繊維製など、如何なる材質であっても良いものである。このように、引掛け部は、一部を線材８という変形可能な部材で設けられているために、従来のような図４中の固定フック１００に比較して、容易に線材８によって引掛けることができる。また、線材８が変形可能であるために、携帯用帯鋸機１を重量バランスが良い状態で保つことができる。
【００２７】
また、線材８は、その端部に引掛け部材８Ａが接続されている。そのため、容易に線材８を引掛けることができる。なお、この引掛けた使用例として、後述する図２もある。引掛け部材８Ａは、図７に示すように構成されており、棒部８Ａ１、及び、棒部８Ａ１を挿通させ、図８中の両方向矢印Ｂのように棒部の軸と垂直な方向に移動可能な係止部８Ａ２を有する。また、引掛け部材８Ａは、一端部で係止部８Ａ２と当接可能な湾曲部８Ａ３を有する。図８に示すように、係止部８Ａ２が第１の位置にある場合には、湾曲部８Ａ３と当接可能であり、第１の位置より棒部８Ａ１の軸と垂直な方向に移動し第２の位置にある場合には、当接することがない。このような構成とすることによって、例えば穴がある部材の場合には、第２の位置にある場合に引掛けることができ、第１の位置にある場合にその引掛け状態を維持することができるように構成されている。
【００２８】
図５に示すように、線材８は、巻込み軸８Ｂに巻きつけられるように設けられており、巻込み軸８Ｂには図示しないバネが設けられており、線材８を自動的に巻き取り可能となっている。また、図３に示すように、線材８は、ハウジング２内部にその全てを収納することが可能になっている。また、図５のＡ方向矢視図である図６に示すように、係止部材８Ｃで線材８がハウジング２より出る量を、係止部材８Ｃと線材８との間の摩擦力によって調節可能とされている。そのため、作業者の好みに応じた線材８の長さとすることができるようになっている。
【００２９】
図１では、線材８の引掛け部材８Ａが、ハウジング２の一端部２Ａ付近にある穴部２Ｅに接続されている。前記したように、引掛け部材８Ａの係止部８Ａ２が第２の位置にある場合に、湾曲部８Ａ３を穴部２Ｅへと挿入し、その後、係止部８Ａ２を第１の位置に移動することによって、引掛け部８Ａが穴部２Ｅへと接続される。このように、ハウジング２の一端部２Ａ及び他端部２Ｂと線材が接続可能であるために、作業者が線材８とハウジング２との間に体の一部を入れることによって、容易に携帯用帯鋸機１を保持することができる。このように、引掛けることができながら、作業者が保持することができる携帯用帯鋸機１とすることができる。
【００３０】
図２に他の使用例を示す。
【００３１】
引掛け部８Ａには、Ｌ字上の棒材Ｓが挿通されている。このように、引掛け部８Ａが設けられているために、棒材Ｓへと容易に線材８を引掛けることができる。また、このように、他端部２Ｂに線材８を設ける構成としたために、前記したようにモータが一端部２Ａに設けている場合に、線材８からモータまでの距離が大きくなるために、重量バランスを安定させることができる。
【００３２】
なお、このような使用をする場合であって、携帯用帯鋸機を壁際などに置く際には、ベース１３がハウジング２の第１の側面２Ｄから突出する構成となっている本発明のような携帯用帯鋸機１においては、線材を変形させることによって、ハウジング２から突出するベース１３を任意の位置に位置させることができる。そのため、携帯用帯鋸機１のベース１３を壁際の位置に位置させることによって、不意にベース１３が人に当ることを抑制することができる。
【００３３】
本発明の実施例の携帯用帯鋸機はライトを有するものではないが、携帯用帯鋸機には、帯鋸刃５及びベース１３周辺を照らすためのライトが設けられているものもある。このような構成であっても、本発明の効果を奏し得ることができるものである。
【００３４】
また、本発明の実施例の携帯用帯鋸機では、引掛け部材８を棒部８Ａ１、棒部８Ａ１を挿通させ棒部の軸と垂直な方向に移動可能な係止部８Ａ２、及び、湾曲部８Ａ３によって構成したが、その形状は、円形の輪状のもの、三角形状、その他如何なる形状であっても、本発明の効果を奏し得ることができるものである。
【００３５】
また、本発明の実施例の携帯用帯鋸機では、給電用の電源コードから給電されるものとしたが、その動力源は、例えば、２次電池、エンジンなど如何なるものであっても、本願発明の効果を奏し得ることができるものである。
【００３６】
また、本発明の実施例の携帯用帯鋸機では、一端部に変形可能な引掛け部が設けられる構成としたが、他端部に変形可能な引掛け部材が設けられる構成であっても本願発明の効果を奏し得ることができるものである。
【００３７】
また、本発明の引掛け部は、引掛け部材及び線材によって構成したが、この線材は、ループを持つように構成されたベルト状であっても本願発明の効果を奏し得ることができるものである。また、線材は、線材を重ね合わせ、厚みを持たせるようにしたものであっても本願発明の効果を奏し得ることができるものである。
【図面の簡単な説明】
【００３８】
【図１】本発明の携帯用帯鋸機の一実施形態を示す図。
【図２】本発明の携帯用帯鋸機の一実施形態をＬ字状の棒材に保持している状態を示す図。
【図３】本発明の携帯用帯鋸機の線材をハウジングに収納した状態を示す図。
【図４】引掛けフックを有する従来の携帯用帯鋸機を示す図。
【図５】本発明の携帯用帯鋸機の他端部付近の拡大図。
【図６】図５のＡ方向矢視図
【図７】引掛け部材の平面図
【図８】引掛け部材の側面図
【符号の説明】
【００３９】
２はハウジング、３は駆動鋸車、４は従動鋸車、５は帯鋸刃、８は線材、１０はハンドル、１１はスイッチ、１２は補助ハンドル、１３はベース、１００は引掛けフック
【図１】
2009166212.tif 000003
【図２】
2009166212.tif 000004
【図３】
2009166212.tif 000005
【図４】
2009166212.tif 000006
【図５】
2009166212.tif 000007
【図６】
2009166212.tif 000008
【図７】
2009166212.tif 000009
【図８】
2009166212.tif 000010